(57)【要約】【課題】取付け寸法の変更に対応して幅調整ができる照明器具を提供する。【解決手段】照明器具本体１と、この照明器具本体に対向位置関係に配置してあって照明器具本体の幅方向に移動可能に取り付けてある側面反射板２と、両側面反射板の位置を調整するための位置調整手段３と、上記両側面反射板間に配置されている中央反射板４とからなり、位置調整手段３を照明器具本体の上面の両側部に形成した複数の係止溝３１と、両側面反射板の下面に設け上記係止溝に選択的に係合離脱できる係合リブ３２とで構成し、照明器具Ｌの埋め込み寸法の変更に対して、上記両側面反射板は位置調整手段３を介して上記照明器具本体に対してこの照明器具本体の幅方向に移動して照明器具Ｌの幅を調整し対応する。【選択図】        図１
2004227998.tif 000002
【特許請求の範囲】
【請求項１】
照明器具本体と、この照明器具本体に対向位置関係に配置してある側面反射板と、両側面反射板の位置を調整するための位置調整手段と、上記両側面反射板間に配置されている中央反射板とを具備しており、
上記両側面反射板は上記照明器具本体に対してこの照明器具本体の幅方向に移動可能に取り付けられている
ことを特徴とする照明器具。
【請求項２】
位置調整手段は、照明器具本体側に設けてある係止部と、側面反射板側に設けてあって上記係止部に係合かつ離脱可能である係合部とからなることを特徴とする請求項１記載の照明器具。
【請求項３】
位置調整手段は、照明器具本体側に設けてある係止部と、側面反射板側に設けてあって上記係止部に係合かつ離脱可能である係合部とからなり、係止部及び係合部の一方が溝状に形成され、他方がリブ状に形成されていることを特徴とする請求項１記載の照明器具。
【請求項４】
位置調整手段は照明器具本体側に設けてある複数の係止部と、側面反射板側に設けてあって係止部に選択的に係合かつ離脱可能である係合部とからなり、上記各係止部は照明器具本体の長さ方向に長くかつ幅方向に並べて配置してある係止溝で構成してあり、上記係合部は係合リブで構成されている
ことを特徴とする請求項１記載の照明器具。
【請求項５】
照明器具本体は下方が開口部となっている枠体で構成し、中央反射板は上記照明器具本体の下側に上記開口部を開閉可能に取り付けられていることを特徴とする請求項１乃至請求項４のいずれかに記載の照明器具。
【請求項６】
照明器具本体、側面反射板及び中央反射板はいずれもアルミ押出し部材が用いられており、照明器具本体は溝形に、側面反射板は外側端部が下方に折り曲げられており、中央反射板は逆溝形に形成されていることを特徴とする請求項１乃至請求項５のいずれかに記載の照明器具。
【発明の詳細な説明】
【０００１】
【発明の属する技術分野】
本発明は、天井埋め込み型照明器具などの照明器具に関するものである。
【０００２】
【従来の技術】
一般に、天井埋め込み型照明器具は、例えば特開平１１−２５７２８号公報及び特開２０００１−１４９２６号公報に開示されているように、下部の開口端外周に張出し部を有する箱型状の照明器具本体と、この照明器具本体内に配置してある反射板とを備え、上記張出し部上に天井が配置されている例が知られている。
【０００３】
【発明が解決しようとする課題】
従来の天井埋め込み型照明器具によれば、施工現場でこの照明器具の埋め込み寸法の変更が生じた際には、照明器具の寸法が固定されているから対応できない不都合があった。
本発明の目的は、寸法の調整ができる照明器具を提供することにある。
【０００４】
【課題を解決するための手段】
本発明の照明器具は、照明器具本体と、この照明器具本体に対向位置関係に配置してある側面反射板と、両側面反射板の位置を調整するための位置調整手段と、上記両側面反射板間に配置されている中央反射板とを具備しており、上記両側面反射板は上記照明器具本体に対してこの照明器具本体の幅方向に移動可能に取り付けられているものである。
上記位置調整手段には、照明器具本体側に設けてある係止部と、側面反射板側に設けてあって上記係止部に係合かつ離脱可能である係合部とからなるもの、照明器具本体側に設けてある係止部と、側面反射板側に設けてあって上記係止部に係合かつ離脱可能である係合部とからなり、係止部及び係合部の一方が溝状に形成され、他方がリブ状に形成されているものなどが含まれる。上記係止溝の構成としては、例えば照明器具本体の長さ方向に長くかつ幅方向に並べて配置してあるものなどがある。
上記照明器具本体は下方が開口部となっている枠体で構成し、中央反射板を上記照明器具本体の下側に上記開口部を開閉可能に取り付けているものや、中央反射板と一体化したものなどがある。照明器具本体、側面反射板及び中央反射板のいずれもアルミ押出し部材を用いて、上記照明器具本体を溝形に、側面反射板を外側端部が下方に折り曲げ、中央反射板を逆溝形に形成して、中央反射板を照明器具本体に取り外し可能に結合することにより、構成を簡単にすることが可能となる。
【０００５】
【作用】
埋め込み寸法など照明器具の取付け寸法の変更に対して、側面反射板を照明器具本体の幅方向に移動させて照明器具の幅の広狭を調整して対応させる。
【０００６】
【発明の実施の形態】
図面を参照して本発明の実施の形態を説明する。
図１〜図３に示す本発明に係る照明器具Ｌは、照明器具本体１と、対の側面反射板２，２と、各側面反射板を上記照明器具本体に対して位置調整可能に取り付けるための位置調整手段３，３と、中央反射板４とを具備している。
照明器具本体１は、図３〜図５に示すように、アルミ押出し部材によって断面逆溝形に形成されている枠体である。照明器具本体１の左右両側は下方内側に斜めに折れ曲げられた保持片１ａとなっており、保持片１ａ間で照明器具本体の下端側の開口部１ｂを形成している。両保持片１ａの先端部に掛止め部１ａ１を設けてあり、両掛止め部１ａ１に後述する中央反射板４が離脱可能に掛け止められている。各保持片１ａには蛍光灯（図示せず。）を装着するためのソケット５を取り付けてある。そして照明器具本体１の中央部下面にはインバータ６と、このインバータを挟んで照明器具本体１の長さ方向の両側端部に吊り保持具７とをそれぞれ取り付けてある（図２）。インバータ６はソケット５に取り付けられている蛍光灯と電気的に接続されている。各吊り保持具７は「コ」の字形に折り曲げられた板ばねからなり、下端にフック７ａ，７ａを設けてある。各吊り保持具７は中央反射板４を保持するために使用される。また照明器具本体１の中央部には、長さ方向の複数箇所に吊りボルト用の取付け孔１ｃを開けてある（図２）。
【０００７】
左右一対の側面反射板２はアルミ押出し部材が用いられている。両側面反射板２は、図１、図２、図６及び図７に示すように照明器具本体１の上面の左右両側部に、本体から両側方に張り出された状態で取り付けられている円弧状の反射傘である。各側面反射板２の張り出し端部はＬ字形に外側に折り曲げられたフランジ２ａが形成されている。フランジ２ａ上に天井Ｃが配置されている。Ｃａは天井Ｃに開けられている取付け開口であって、照明器具Ｌが嵌め込まれる。
【０００８】
各位置調整手段３の構成について説明する。
位置調整手段３は、図１〜図３に示すように、照明器具本体１側に設けてある溝状の係止部である係止溝３１と、各側面反射板２側に設けてあるリブ状の係合部である係合リブ３２とからなり、係止溝と係合リブとは互いに係合かつ離脱が可能である。
係止溝３１は照明器具本体１の上面の左右両側部に配置されており、側面反射板２の位置を多段階（図示の例では４段階）に調整できるように複数（図示の例では４）設けられている。係止溝３１は断面がほぼ半円形に形成されており、照明器具本体１の長さ方向に沿って伸びかつ幅方向に並んで設けられている（図４及び図５）。
係合リブ３２は側面反射板２の内側部下面に、しかも図６及び図７に示すように側面反射板２の長さ方向に沿って伸びかつ幅方向に並んで複数（図示の例では３）設けられている。係合リブ３２は軸心部分を空洞にして外側からの押圧力に対して弾性変形可能としている。
各係合リブ３２は各係止溝３１に対して選択的に係合可能であり、図１の例では最も内側に位置している係止溝３１を除いて他の全ての係止溝に圧入状態に係合されている。このため、左右の側面反射板２は、図１に示すように照明器具本体１上の両側部に固定された状態で取り付けられると共に、照明器具本体１の幅方向に移動して最適な位置を設定することができる。
【０００９】
中央反射板４は、図１及び図８に示すように照明器具本体１内に配置され、上方に向けて溝形に折り曲げられたアルミ押出し部材によって形成されている。中央反射板４には、両側辺が外側に傾斜して立ち上がっており、先端部に取付け部４ａを形成してある。中央反射板４は照明器具本体１の開口部１ｂを開閉可能に覆っており、取付け部４ａが照明器具本体１の保持片１ａの掛止め部１ａ１に係止されている。中央反射板４は、長さ方向の複数箇所に開けられている対の掛止め孔４ｂを通じて吊り保持具７によって掛止め状態で保持されている（図１）。
【００１０】
次に、照明器具の取付けについて説明する。
天井Ｃの取付け開口Ｃａの寸法に応じて、左右の側面反射板２の取付け位置を照明器具本体１の幅方向に移動させて調整する。位置調整後は、図１に示すように照明器具Ｌを天井Ｃの取付け開口Ｃａに嵌め込んで、吊りボルト用の取付け孔１ｃを利用して吊りボルトで吊下げる。
側面反射板２の位置調整作業は、天井Ｃの取付け開口Ｃａの寸法に合わせるために、図１鎖線に示す側面反射板２を左右に移動させてから、係合リブ３２を対応する係止溝３１に係合させ、側面反射板を照明器具本体１上に取り付ける。このように、側面反射板２を照明器具本体１に対して図１矢印方向に移動させ、すなわち出し入れして照明器具Ｌの横幅を広くしたり狭くしたりして、天井Ｃの取付け開口Ｃａの寸法に合わせる。この調整作業は現場にて簡単に行える。図示の例では、側面反射板２を四段階に調整することができる。
【００１１】
図１に示す照明器具Ｌによれば、側面反射板２が位置調整できるので埋め込み寸法の変更に対して、現場にて簡単に対応することができる。また長さ方向の変更に対しても、照明器具本体１、側面反射板２及び中央反射板４がアルミ押出し部材を用いており、しかも必要に応じて任意の位置で切断することが容易であるから、現場にて簡単に対応することができる。
また、図１に示す照明器具Ｌの構造では、照明器具本体１に対して側面反射板２が位置調整手段３を介して係合離脱可能に取り付けられており、中央反射板４も、照明器具本体１の保持片１ａに係合離脱可能に取り付けられているので、照明器具の構造が単純化され、現場での組み立て分解が簡易である。
さらに、照明器具本体１、側面反射板２及び中央反射板４にアルミ押出し部材が用いられているので、照明器具Ｌを廃棄した後でもそれぞれの部材を再利用することができるので、省資源に寄与する。
【００１２】
照明器具本体１、側面反射板２及び中央反射板４の各材質は、アルミ押出し部材に限られず、鋼板その他の材料で形成しても良い。
照明器具本体１と中央反射板４とは図示の例では分離可能に組み立てた構成としているが、両者を一体化しても良い。
位置調整手段３に関して、係止部３１を溝状と、係合部３２をリブ状としたが、係止部３１をリブ状とし、係合部３２を溝状としても良い。また係止溝３１及び係合リブ３２を図５及び図７に示すように、照明器具本体１及び側面反射板２の長さ方向に全長に亘って設けることにより、側面反射板２の確実な位置保持が可能となるが、必ずしもこのような構成に限定されない。例えば係止部を上記係止溝３１と同様に連続している溝とし、係合部を連続しない突起部としたもの、係止部を凹部とし、係合部を突起部としたものなど適宜である。係合リブ３２は図示するように複数であれば、側面反射板２の位置保持が強化されるが、単一であっても良い。位置調整手段３は、係止溝３１及び係合リブ３２によって位置調整と側面反射板２の取付け手段を兼用することにより、構成を簡単にすることができるが、必ずしも兼用するものである必要がない。さらに、側面反射板２の位置調整を四段階に分けて微調整可能としたが、少なくとも二段階の調整ができれば良く、さらに五段階以上の調整を可能にしても良い。
本発明の照明器具は天井埋め込み型のものに有効であるが、この種のものに限定されない。
【００１３】
【発明の効果】
本発明によれば、照明器具本体に対して位置調整手段を介して側面反射板が位置調整できるので、照明器具を取り付けるべき寸法の変更に対して現場で簡単に対応することができる。
【図面の簡単な説明】
【図１】本発明の実施の形態に係る照明器具を示す拡大正面図である。
【図２】本発明の実施の形態に係る照明器具を示す平面図である。
【図３】本発明の実施の形態に係る照明器具を分解した状態を示す拡大正面図である。
【図４】図３のＩＶ−ＩＶ線断面図である。
【図５】照明器具本体の拡大平面図である。
【図６】図３のＶＩ−ＶＩ線断面図である。
【図７】側面反射板の拡大底面図である。
【図８】中央反射板の主要部を示す拡大平面図である。
【符号の説明】
１                  照明器具本体
１ａ                保持片
１ａ１              掛止め部
１ｂ                開口部
２                  側面反射板
３                  位置調整手段
３１                係止溝（係止部）
３２                係合リブ（係合部）
４                  中央反射板
４ａ                取付け部
Ｌ                  照明器具
【図１】
2004227998.tif 000003
【図２】
2004227998.tif 000004
【図３】
2004227998.tif 000005
【図４】
2004227998.tif 000006
【図５】
2004227998.tif 000007
【図６】
2004227998.tif 000008
【図７】
2004227998.tif 000009
【図８】
2004227998.tif 000010